(57)【要約】【課題】  光学機能と加熱機能とを同時に備えるとともに、厚肉化や視認性の悪化を抑制できる電気光学装置を提供する。【解決手段】  本発明の電気光学装置１００は、基板間に電気光学物質を配置してなる電気光学パネル１３０と、光指向性を与える光変調構造１２４及び熱を発する発熱構造１２２を一体に備えた光学シート１２０と、を有し、前記電気光学パネルと前記光学シートとが平面的に重なるように配置され、かつ、相互に接触していることを特徴とする。【選択図】図２
2007025188.tif 000002
【特許請求の範囲】
【請求項１】
基板間に電気光学物質を配置してなる電気光学パネルと、
入射した光に指向性を付与して出射する視野角制限層及び発熱層を一体に備えた光学シートと、を有し、
前記電気光学パネルと前記光学シートとが平面的に重なるように配置され、かつ、相互に接触していることを特徴とする電気光学装置。
【請求項２】
前記光学シートは前記視野角制限層よりも前記電気光学パネル側に前記発熱層を備えていることを特徴とする請求項１に記載の電気光学装置。
【請求項３】
前記発熱層は前記視野角制限層と平面的に重なるパターン形状を備えていることを特徴とする請求項１又は２に記載の電気光学装置。
【請求項４】
前記発熱層は透明導電体を有して構成されていることを特徴とする請求項３に記載の電気光学装置。
【請求項５】
前記視野角制限層は光吸収材と光透過材を交互に配置された構成を備えていることを特徴とする請求項１乃至４のいずれか一項に記載の電気光学装置。
【請求項６】
前記発熱層は、前記光吸収材と平面的に重なる形成部分と、前記光透過材と平面的に重なる非形成部分とを有するパターン形状を備えていることを特徴とする請求項５に記載の電気光学装置。
【請求項７】
前記発熱層は、少なくとも前記電気光学パネルの駆動領域と平面的に重なる範囲内において前記光吸収材と平面的に重なる範囲内に形成されていることを特徴とする請求項６に記載の電気光学装置。
【請求項８】
前記視野角制限層は光吸収材と光透過材を交互に配置した構成を備え、前記光吸収材が前記発熱層の少なくとも一部を構成することを特徴とする請求項１又は２に記載の電気光学装置。
【請求項９】
請求項１乃至８のいずれか一項に記載の電気光学装置と、該電気光学装置を制御する制御手段とを有することを特徴とする電子機器。
【発明の詳細な説明】
【技術分野】
【０００１】
本発明は電気光学装置及び電子機器に係り、特に、光変調機能を備えた光学シートを含む電気光学装置の構成に関する。
【背景技術】
【０００２】
一般に、液晶表示装置等の電気光学装置には、表示画面の視野角を制限するために、透過光を変調する光変調構造を備えた光学シートを含むものが知られている。この種の光学シートとしては、光吸収材と光透過材とを平面方向に交互に配置してなるルーバー層などと呼ばれる視野角制限シートが挙げられる。このような視野角制限シートは、特定の視野角範囲内でのみ表示を視認可能とするものであり、例えば、周囲の人に表示内容を見られたくない場合や、カーナビゲーション装置などの車載用の表示装置において表示光がフロントガラスに映りこみ運転者の視野を妨げるといったことを防止したい場合などに必要とされる（例えば、以下の特許文献１参照）。
【０００３】
一方、液晶表示装置等の電気光学装置では、低温になると表示性能が低下する場合があり、これを防止するために発熱体を内蔵したものが知られている（例えば、以下の特許文献２参照）。この発熱体は、ＩＴＯからなる透光性を有する発熱用配線パターンであり、液晶表示装置内の液晶表示パネルに接触させた状態とされる。この発熱体を設けることで、液晶表示パネルを加熱することができるので、液晶表示パネルの応答速度を改善することができる。
【特許文献１】特開２００３−２７９９５１号公報
【特許文献２】特開平８−１７１０８４号公報
【発明の開示】
【発明が解決しようとする課題】
【０００４】
ところで、例えば、車載用の液晶表示装置などでは、前述のようにフロントガラスへの移り込みを防止すると同時に、低温環境下における応答速度の低下を防止する必要があるが、上記のいずれの液晶表示装置でも、上記の二つの目的を同時に達成することはできない。
【０００５】
また、上記の二つの目的を同時に達成しようとすると、視野角制限シートと発熱体をそれぞれ設ける必要があるので、装置が厚肉化するとともに、視野角制限シートと発熱体のそれぞれにおいて表面反射や光吸収などが生ずるため、光透過率が低下して視認性が悪化するという問題点がある。
【０００６】
そこで、本発明は上記問題点を解決するものであり、その課題は、光学機能と加熱機能とを同時に備えるとともに、厚肉化や視認性の悪化を抑制できる電気光学装置の構成を実現することにある。
【課題を解決するための手段】
【０００７】
斯かる実情に鑑み、本発明の電気光学装置は、基板間に電気光学物質を配置してなる電気光学パネルと、入射した光に指向性を付与して出射する視野角制限層及び発熱層を一体に備えた光学シートと、を有し、前記電気光学パネルと前記光学シートとが平面的に重なるように配置され、かつ、相互に接触していることを特徴とする。
【０００８】
この発明によれば、視野角制限層により光学機能を確保し、発熱層により加熱機能を確保することができるため、視野角制限層の光指向性により所望の光学特性を得ることができると同時に、低温に起因する電気光学パネルの動作不良の防止を図ることができる。また、視野角制限層と発熱層を一体に備えた光学シートを用いることで、部品点数が削減され、薄型化及び低コスト化が可能になる。さらに、視野角制限層と発熱層とを別々に設けた場合に比べて、透過率を高くすることができるため、明るい表示を得ることができる。
【０００９】
本発明において、前記光学シートは、前記視野角制限層よりも前記電気光学パネル側に前記発熱層を備えていることが好ましい。これによれば、視野角制限層よりも発熱層が電気光学パネル側に配置されていることにより、熱損失を低減することができ、発熱層から発せられる熱を電気光学パネルに効率的に伝えることができる。
【００１０】
本発明において、前記発熱層は、前記視野角制限層と平面的に重なるパターン形状を備えていることが好ましい。これによれば、視野角制限層と平面的に重なるパターン形状を備えた発熱層により、電気光学パネルの駆動領域を効率的かつ均一に加熱することが可能になる。
【００１１】
この場合において、前記発熱層は透明導電体を有して構成されていることが好ましい。これによれば、発熱層が透明導電体を有して構成されることにより、透明導電体が光を透過するため、発熱層の平面形状を任意に設定することが可能になる。
【００１２】
本発明において、前記光変調構造は、光吸収材と光透過材を交互に配置された構成を備えていることが好ましい。このような視野角制限層を設け厚み方向に任意の角度で傾斜させることで、任意に表示の視認範囲を制限したり、不要な映り込みを防止したりすることができる。
【００１３】
本発明において、前記発熱層は、前記光吸収材と平面的に重なる形成部分と、前記光透過材と平面的に重なる非形成部分とを有するパターン形状を備えていることが好ましい。これによれば、発熱層が光吸収材と平面的に重なる範囲に形成されているとともに、光透過材と平面的に重なる範囲に形成されていない部分を有することにより、発熱層による光透過率の低下を抑制することができる。また、透明導電体で発熱層を形成しなくても、視野角制限層への影響を低減しつつ、発熱層の形成領域を確保することが可能になる。したがって、光透過性を有しない材料を含め任意の材料を発熱層に用いることが可能になる。
【００１４】
この場合に、少なくとも電気光学パネルの駆動領域と平面的に重なる範囲内において発熱層が光吸収材と平面的に重なる範囲内に形成されていることが好ましい。この場合には、発熱層による光透過率の低下をほとんどなくすことができる。
【００１５】
本発明において、前記視野角制限層は光吸収材と光透過材を交互に配置した構成を備え、前記光吸収材が前記発熱層の少なくとも一部を構成することが好ましい。これによれば、光吸収材が発熱層の少なくとも一部を構成することで、発熱層による透過率の低下を抑制することができるとともに、発熱層の少なくとも一部を視野角制限層により構成することにより光学シートの薄型化や構造の簡易化を図ることができる。ここで、発熱層の少なくとも一部を構成可能な光吸収材としては、カーボンなどを用いることができる。
【００１６】
本発明の電子機器は、上記のいずれかに記載の電気光学装置と、該電気光学装置を制御する制御手段とを有することを特徴とする。電気光学装置を搭載した電子機器としては、後述するコンピュータ装置、携帯電話機の他に、携帯型情報端末、電子時計などが挙げられる。
【発明を実施するための最良の形態】
【００１７】
［第１実施形態］
次に、添付図面を参照して本発明の実施形態について詳細に説明する。図１（ａ）は第１実施形態の光学シート１２０の構造を模式的に示す概略縦断面図、図１（ｂ）は概略平面透視図である。
【００１８】
この光学シート１２０は全体として一体のシート状に構成されたものである。光学シート１２０は、合成樹脂フィルム等で構成された透明な基板１２１と、この基板１２１上に形成された発熱層１２２と、この発熱層１２２上に配置された、光吸収材１２４ａと光透過材１２４ｔとを交互に平面方向に配列させてなる視野角制限層１２４と、視野角制限層１２４を支持する合成樹脂フィルム等で構成された基板１２６とを平面的に重ね合わせて一体に構成してなるものである。
【００１９】
具体的には、上記基板１２１及び発熱層１２２と、視野角制限層１２４との間には透明な粘着層１２３が介在し、この粘着層１２３によって発熱層１２２によって構成される発熱構造と視野角制限層１２４とが一体化されている。また、視野角制限層１２４は透明な粘着層１２５を介して基板１２６に接着されている。粘着層１２３，１２５は、光透過性を有するとともに粘着性を有するものであれば如何なるものでもよい。例えば、アクリル系接着剤やエポキシ系接着剤で構成することができる。また、粘着層１２３，１２５は基板１２１，１２６或いは光透過材１２４ｔと実質的に同じ光屈折率を備えたものであることが界面反射を低減する上で好ましい。
【００２０】
本実施形態の場合、発熱層１２２は、ＩＴＯ（インジウムスズ酸化物）等の透明導電体で構成され、後述する電気光学パネル１３０の駆動領域１３０Ａを全て覆うように構成されている。図示例の場合、発熱層１２２は駆動領域１３０Ａを全面的に覆うように構成され、さらに、駆動領域１３０Ａよりも外側に広がる視野角制限層１２４をも全面的に覆うように構成されている。このように発熱層１２２を駆動領域１３０Ａや視野角制限層１２４よりも広い範囲に形成することで、電気光学パネル１３０をより均一かつ安定的に加熱することができる。
【００２１】
発熱層１２２の両端部には端子部１２２ａ，１２２ｂが形成され、これらの端子部１２２ａ，１２２ｂは、導電接触性を高める（接触抵抗を低減する）ために金メッキ層、銀ペースト層などの表面導電層で覆われていることが好ましい。また、視野角制限層１２４と平面的に重なる範囲、或いは、駆動領域１３０Ａと平面的に重なる範囲以外の部分では、遮光されても機能的に問題が生じないことから、発熱層１２２に導電材料（例えば、Ａｕ、Ａｇ、Ｃｕ、Ａｌなどの金属材料）で構成される導電層を積層し、或いは、当該導電層のみでパターンを形成してもよい。これによって発熱層１２２全体の電気抵抗を低減することができるとともに、視野角制限層１２４と平面的に重なる範囲、或いは、駆動領域１３０Ａと平面的に重なる範囲以外の部分の電気抵抗を低減できるとともに、視野角制限層１２４と平面的に重なる範囲、或いは、駆動領域１３０Ａと平面的に重なる範囲において集中的に発熱を生じさせることができるため、電気光学パネル１３０をより迅速かつ効率的に加熱できる。
【００２２】
視角制限層１２４において、光吸収材１２４ａとしては、酸化鉄、カーボンブラック等の顔料、アニリンブラック等の染料等の黒色、赤色、青色等の各種の着色材が挙げられる。また、光透過材１２４ｔとしてはポリエチレン、ポリプロピレン、シリコーンゴム等の透明樹脂が挙げられる。光吸収材１２４ａの幅は視覚的に認識されにくい程度とされることが好ましく、例えば、１〜１００μｍ、特に５〜３０μｍ程度であることが好ましい。また、光吸収材１２４ａの形成周期は５０〜３００μｍ、特に１００〜２００μｍ程度であることが好ましい。さらに、視野角制限層１２４の厚さは、取り扱い性を考慮すると０．１〜０．５ｍｍ程度であることが好ましい。
【００２３】
視野角制限層１２４では光吸収材１２４ａが厚み方向に伸びる姿勢で配置されている。光吸収材１２４ａは、層の厚み方向に平行な姿勢で配置されていてもよいが、図示例のように必要に応じて厚み方向に対して傾斜した姿勢で配置されていてもよい。光吸収材１２４ａの姿勢は、視野角制限層１２４の視野角制限範囲に応じて適宜に設定できる。典型的な傾斜角（厚み方向に対する角度）は３０〜６０度である。視野角制限層１２４は、本実施形態の場合、光吸収材１２４ａが図１の紙面と直交する方向に伸び、全体として複数の光吸収材１２４ａが平行に伸びるストライプ状に構成されている。このような視野角制限層１２４は、例えば、光吸収材１２４ａで形成された層と光透過材１２４ｔで形成された層とを交互に積層してブロック体を形成し、このブロック体をスライス加工することによって形成することができる。
【００２４】
なお、本発明の視野角制限層はこのような構造に限らず、視野角（光出射角）を所望の範囲に制限することができるように、所定の平面方向に見たときに光吸収材と光透過材とが交互に配列されているものであれば、如何なる構造であっても構わない。また、上記の視野角制限層のような光吸収材と光透過材の交互配列構造に限らず、本発明の光変調構造は、透過光に対して何らかの光指向性を付与することができるものであればよい。例えば、周期的プリズム構造を備えた集光構造や、入射光を一律に偏向（屈折）させる光偏向構造などであってもよい。
【００２５】
図２は、本実施形態の電気光学装置１００の全体構成を模式的に示す概略構成図である。電気光学装置１００は、照明装置１１０と、上記の光学シート１２０と、電気光学パネル１３０とをこの順に平面的に重ねた構造を備えている。
【００２６】
照明装置１１０はいわゆるバックライトと呼ばれるもので、電気光学パネル１３０の駆動領域１３０Ａ全体を照明することができる面状光源である。照明装置１１０は、ＬＥＤや冷陰極管等の光源１１１と、この光源１１１から放出された光を光入射面１１２ａから受け入れ、内部を伝播させながら光出射面１１２ｂから出射させる導光板１１２と、導光板１１２の背後に配置された白色ポリエチレン等で構成される反射板１１３と、導光板１１２の光出射面１１２ｂの前方に配置される拡散板１１４とを備えている。図示例の場合、光入射面１１２ａが導光板１１２の端面であり、導光板１１２の側方に光源１１１が配置されたサイドライト型のバックライトが構成されている。なお、拡散板１１４の前方にさらに図示しないプリズムシート等の集光板を配置することで、照明装置１１０の光の利用効率を高め、明るい表示を実現することができる。
【００２７】
本実施形態において、電気光学パネル１３０は、ガラスやプラスチック等で構成される透明な基板１３１と１３２をシール材１３３等で貼り合わせ、その内側に電気光学物質である液晶１３４を封入してなる液晶パネルである。基板１３１の内面上にはＩＴＯ等の透明導電体で構成される電極１３１ａが形成され、基板１３２の内面上には同様の透明導電体で構成される電極１３２ａが形成されている。また、これらの電極１３１ａ，１３２ａには配線を介して駆動回路１３７が導電接続されている。この駆動回路１３７は、後述する表示制御回路１４２から供給される入力信号に基づいて駆動電位を形成する。そして、駆動回路１３７から供給される上記駆動電位によって電極１３１ａと１３２ａ間に所定の電圧が印加され、この電圧によって液晶１３４の配向状態が制御される。ここで、電極１３１ａと１３２ａが平面的に交差する領域が画素１３０ａであり、上記の配向状態の制御は画素１３０ａ毎に独立して行われる。また、画素１３０ａが所定の態様で配列されてなる領域が上記駆動領域１３０Ａである。この駆動領域１３０Ａでは、通常、画素１３０ａが縦横にマトリックス状に配列される。
【００２８】
また、電気光学パネル１３０には、サーミスタ等の温度検出器１３８が設けられる。この温度検出器１３８は電気光学パネル１３０の温度、特に、液晶１３４の温度を検出するためのものである。液晶１３４は低温になると応答速度が低下し、また、温度変動により高コントラストの得られる印加電圧値が変化するので、電気光学パネル１３０の検出温度に応じて加熱することで応答速度の低下を防止することができ、また、検出温度に応じて液晶１３４に対する印加電圧を変えることで、良好な表示特性を実現することができる。
【００２９】
本実施形態において、照明装置１１０、光学シート１２０及び電気光学パネル１３０は相互に平面的に重なるように配置される。より具体的には、電気光学パネル１３０の駆動領域１３０Ａの全面が、光出射面１１２ｂと平面的に重なり、また、光学シート１２０の視野角制限層１２４と平面的に重なり、さらに、発熱層１２２と平面的に重なるように配置される。
【００３０】
また、上記の光学シート１２０は電気光学パネル１３０に接する状態で配置される。すなわち、光学シート１２０と電気光学パネル１３０とは図示しないケース枠等の支持部材などによって相互に接触した状態で保持されるか、或いは、粘着層等を介して直接貼着された状態とされる。このとき、電気光学パネル１３０に接触するのは、光学シート１２０の視野角制限層１２４よりも発熱層１２２が配置される側の表面部、すなわち、図示例の場合には基板１２１である。このようにすると、熱損失を低減でき、光学シート１２０の発熱層１２２により電気光学パネル１３０を迅速かつ効率的に加熱することができる。なお、図２には、光学シート１２０と電気光学装置１３０が分離された態様で図示されているが、これはあくまでも全体構成を模式的に示すものに過ぎない。
【００３１】
本実施形態の電気光学装置１００は、上記の照明装置１１０、光学シート１２０及び電気光学パネル１３０で構成されるが、実際に電子機器等に搭載される場合には、制御系１４０の制御下で動作するように構成されている。この制御系１４０には、ＣＰＵやコントローラで構成される中央制御部１４１が設けられる。この中央制御部１４１には、表示制御回路１４２、温度検出回路１４３、メモリ１４４、照明制御回路１４５及び発熱制御回路１４６が接続される。
【００３２】
表示制御回路１４２は上記駆動回路１３７に導電接続され、中央制御部１４１の指令に基づいて駆動回路１３７に所定の表示データや制御信号を送出する。また、温度検出回路１４３は上記温度検出器１３８に接続され、中央制御部１４１に検出温度データを送出する。さらに、メモリ１４４は発熱層１２２ａへ供給する基準電圧値、電気光学パネル１３０の目標温度値などを動作パラメータとして格納し、必要に応じて温度毎の高コントラストが得られる印加電圧値なども格納する。
【００３３】
また、照明制御回路１４５は中央制御部１４１の指令に基づいて照明装置１１０の光源１１１に電力を供給する。さらに、発熱制御回路１４６は、中央制御部１４１の指令に基づいて、上記発熱層１２２に対して端子部１２２ａ，１２２ｂを介して所定の電圧Ｖを印加する。
【００３４】
中央制御部１４１は、メモリ１４４から必要な動作パラメータを読み出し、温度検出器１３８及び温度検出回路１４３によって得られた検出温度に基づいて発熱制御回路１４６を制御し、発熱構造を駆動する。例えば、図６のグラフに示すように、検出温度が目標温度Ｔｄよりも低ければ、発熱制御回路１４６が発熱層１２２に電圧Ｖを印加し、発熱層１２２に流れる電流によって熱が発生するので、電気光学パネル１３０が加熱される。また、発熱層１２２に電力が供給されている状態では、上記の検出温度が目標温度Ｔｕ（Ｔｕ>Ｔｄ）に達すると電力供給が停止される。
【００３５】
なお、上記検出温度に基づいて中央制御部１４１が表示制御回路１４２から駆動回路１３７へ送出される制御信号を変化させ、液晶１３４に印加される電圧値を温度に対して最適化し、高いコントラストが実現されるように構成してもよい。
【００３６】
本実施形態では、発熱層１２２と、視野角制限層１２４とが一体的に構成（積層）されているので、部品点数を削減することができ、取り扱いも容易になることから、製造コストを低減できる。また、視野角制限機能と加熱機能とを共に実現しつつ、厚肉化を抑制できるという利点もある。
【００３７】
なお、上記実施形態では、照明装置１１０と電気光学パネル１３０の間に光学シート１２０を配置しているが、電気光学パネル１３０の前面側（視認側）に光学シート１２０を配置しても構わない。この場合でも、発熱層１２２を視野角制限層１２４よりも電気光学パネル１３０側に向けた姿勢で光学シート１２０が配置されることが好ましい。
【００３８】
また、基板１２１及び１２６は発熱層１２２及び視角制限層１２４を保護し、取り扱いを容易にするために設けられているものであり、省略しても構わない。例えば、発熱層１２２が光学シートの表面に露出するように構成し、この発熱層１２２を電気光学装置１３０に直接接触させたり、接着層などを介して直接貼着したりしてもよい。
【００３９】
なお、本実施形態では光学シート１２０及び電気光学パネル１３０の背後に照明装置１１０を配置しているが、背後から太陽光などの外光を導入したり、光学シート１２０を電気光学パネル１３０の前面側に配置して電気光学パネル１３０を反射型構造としたりする場合などにおいては、照明装置１１０は不要である。
【００４０】
［第２実施形態］
図３（ａ）は上記と異なる第２実施形態の光学シート１５０の構造を示す概略縦断面図、図３（ｂ）は概略平面透視図である。この光学シート１５０は上記第１実施形態における光学シート１２０の代わりに用いることができるものである。光学シート１５０は、上記第１実施形態と同様の基板１５１、粘着層１５３、光吸収材１５４ａ及び光透過材１５４ｔを備えた視野角制限層１５４、粘着層１５５、並びに、基板１５６を備えているので、これらの説明は省略する。
【００４１】
この光学シート１５０では、発熱層１５２が視野角制限層１５４の光吸収材１５４ａの平面パターンと重なり、しかも、光透過層１５４ｔと平面的に重なる非形成部分を備えたパターン形状を有する点で上記実施形態と異なる。より具体的には、複数の光吸収材１５４ａと重なって伸びる複数の帯状の通電パターン部１５２ｃが周辺部（駆動領域１３０Ａの外側の領域）で配線パターン部１５２ｄ，１５２ｅを介してそれぞれ端子部１５２ａ，１５２ｂに導電接続されている。特に、少なくとも電気光学パネル１３０の駆動領域１３０Ａと平面的に重なる範囲内において、発熱層１５２（通電パターン部１５２ｃ）は光吸収材１５４ａと平面的に重なる範囲にのみ存在するように構成される。これによって、発熱層１５２によって遮られる光量がほとんどなくなるので、発熱層１５２を透明導電体ではなく、Ｃｕなどの遮光材で構成しても、光の利用効率が低下して表示が暗くなるといったことがほとんど生じない。
【００４２】
なお、本実施形態では発熱層１５２を遮光材で構成されているが、透明導電体で構成しても構わない。第１実施形態のように発熱層１２２を透明導電体で形成する場合でも光透過率は数％〜１０％程度低下するので、発熱層１５２を透明導電体で構成する場合でも、発熱層１５２を上述のようなパターン形状にする意義は大きい。
【００４３】
ただし、発熱層１５２を透明導電体で構成する場合、蒸着やスパッタリングなどといった限定された方法でしか発熱層１５２を形成することができないが、本実施形態のように発熱層１５２を遮光材で構成してもよい場合には、印刷法、貼り合わせなどといった種々の形成方法を採用することができ、安価で生産性の高い製造方法を選定することが可能であることから、製造コストの低減を図ることができる。例えば、銀ペーストを用いた印刷法等によってきわめて容易に発熱層１５２を形成できる。また、発熱層１５２の材料の光学特性に制約がなくなることで、高い電気伝導率を有する材料（例えば、ＩＴＯより２桁程度電気伝導率が高い金属材料）を用いることができるため、発熱層１５２の平面形状自体の自由度が高くなるといった利点もある。さらに、このような金属材料などの低抵抗材料で発熱層１５２（特に通過パターン部１５２ｃ）を構成できるため、抵抗ばらつきが抑制されることにより、温度分布の面内均一性を高めることができるといった利点もある。
【００４４】
この実施形態でも、通電パターン部１５２ｃ以外の、端子部１５２ａ，１５２ｂ及び配線パターン部１５２ｄ，１５２ｅを厚くしたり、他の材質の導電材料で構成したり、導電層を積層したりすることで、上記実施形態と同様に効率的に電気光学パネル１３０を加熱できる。
【００４５】
［第３実施形態］
図４（ａ）は上記と異なる第３実施形態の光学シート１６０の構造を示す概略縦断面図、図４（ｂ）は概略平面透視図である。この光学シート１６０は上記第１実施形態における光学シート１２０の代わりに用いることができるものである。光学シート１６０は、上記第１実施形態と同様の基板１６１、粘着層１６３、光吸収材１６４ａ及び光透過材１６４ｔを備えた視野角制限層１６４、粘着層１６５、並びに、基板１６６を備えているので、これらの説明は省略する。
【００４６】
この光学シート１６０では、発熱構造が視野角制限層１６４の一部、すなわち光吸収材１６４ａを構成要素とする点で、先の各実施形態とは異なる。本実施形態では、視野角制限層１６４の光吸収材１６４ａがカーボン等の導電体で構成され、この光吸収材１６４ａが発熱構造（発熱体）の少なくとも一部として構成されている。視野角制限層１６４の表面及び裏面にはそれぞれ上記光吸収材１６４ａと導電接続された表面パターン部１６２ｄ及び１６２ｅが形成され、これらの表面パターン部１６２ｄ，１６２ｅが端子部１６２ａ，１６２ｂに導電接続されている。表面パターン部１６２ｄ，１６２ｅは、少なくとも駆動領域１３０Ａと平面的に重なる範囲全体に形成されている。
【００４７】
ただし、これらの表面パターン部１６２ｄ，１６２ｅを、第２実施形態と同様に、光吸収材１６４ａと平面的に重なり、しかも、光透過材１６４ｔと平面的に重なる非形成部分を有するパターン形状とすることが好ましく、特に、駆動領域１３０Ａと平面的に重なる範囲内において、表面パターン部１６２ｄ，１６２ｅが光吸収材１６４ａと平面的に重なる範囲内にのみ形成されていることがより望ましい。
【００４８】
本実施形態では、光吸収材１６４ａを発熱体として用いることで、視野角制限構造を利用して発熱構造を形成できるので、光学シート１６０の薄型化や構造の簡易化を図ることができる。なお、本実施形態では、光吸収材１６４ａが主として発熱するように構成することもできるが、表面パターン部１６２ｄ，１６２ｅでも光吸収材１６４ａと同様に有効な発熱が生ずるように構成することができる。
【００４９】
［第４実施形態］
図５（ａ）は上記と異なる第４実施形態の光学シート１７０の構造を示す概略縦断面図、図５（ｂ）は概略平面透視図である。この光学シート１７０は上記第１実施形態における光学シート１２０の代わりに用いることができるものである。光学シート１７０は、上記第３実施形態と同様の基板１７１、粘着層１７３、光吸収材１７４ａ及び光透過材１７４ｔを備えた視野角制限層１７４、粘着層１７５、並びに、基板１７６を備えているので、これらの説明は省略する。
【００５０】
この光学シート１７０の発熱層においては、光吸収材１７４ａの両端部に配線パターン部１７２ｄ，１７２ｅがそれぞれ導電接続され、これらの配線パターン部１７２ｄ，１７２ｅがそれぞれ端子部１７２ａ，１７２ｂに導電接続されている点で、上記第３実施形態とは異なる。これらの配線パターン部１７ｄ，１７２ｅは、駆動領域１３０Ａと平面的に重なる範囲を外れた部分に配置されているので、たとえ遮光材で構成されていても、シートの光学特性に影響を与えることはない。したがって、光透過率の低下を防止することができるとともに、配線パターン部を金属等の遮光材で構成することもできるため、発熱層の低抵抗化や効率的な発熱態様を実現することができる。
【００５１】
［電子機器］
最後に、上述した各実施形態に係る電気光学装置を電子機器に搭載した場合について説明する。図７は、本発明に係る電子機器の一実施形態であるノート型パーソナルコンピュータを示している。このパーソナルコンピュータ２００は、複数の操作ボタン２０１ａや他の操作装置２０１ｂを備えた本体部２０１と、この本体部２０１に接続され、表示画面２０２ａを備えた表示部２０２とを備えている。図示例の場合、本体部２０１と表示部２０２は開閉可能に構成されている。表示部２０２の内部には上述の電気光学装置（液晶装置）１００が内蔵されており、表示画面２０２ａに所望の表示画像が表示されるようになっている。この場合、パーソナルコンピュータ２００の内部には、上記電気光学装置１００を制御する表示制御系が設けられる。この表示制御系は、電気光学装置１００に設けられる上記の制御系に対して映像信号その他の入力データや所定の制御信号を送り、その動作態様を決定するように構成されている。なお、この表示制御系を上記中央制御部１４１で構成してもよい。
【００５２】
図８は、本発明に係る電子機器の他の実施形態である携帯電話機を示している。ここに示す携帯電話機３００は、複数の操作ボタン３０１ａ，３０１ｂ及び送話口などを備えた操作部３０１と、表示画面３０２ａや受話口などを備えた表示部３０２とを有し、表示部３０２の内部に上記の電気光学装置１００が組み込まれてなる。そして表示部３０２の表示画面３０２ａにおいて電気光学装置１００により形成された表示画像を視認することができるようになっている。この場合、携帯電話機３００の内部には、上記電気光学装置１００を制御する表示制御系が設けられる。この表示制御系は、電気光学装置１００に設けられる上記の制御系に対して映像信号その他の入力データや所定の制御信号を送り、その動作態様を決定するように構成されている。なお、この表示制御系を上記中央制御部１４１で構成してもよい。
【００５３】
なお、本発明に係る電子機器としては、図７や図８に示す電子機器の他に、液晶テレビ、カーナビゲーション装置、ページャ、電子手帳、電卓、ワークステーション、テレビ電話、ＰＯＳ端末機などが挙げられる。そして、これらの各種電子機器の表示部として本発明に係る電気光学装置を用いることができる。
【００５４】
また、本発明は、上述の図示例にのみ限定されるものではなく、本発明の要旨を逸脱しない範囲内において種々変更を加え得ることは勿論である。例えば、本実施形態の電気光学装置としては、透過型の液晶表示パネルを備えた液晶表示装置で構成されるものについて説明したが、本発明は、光学シートを含むものであれば、半透過型や反射型の表示パネルであってもよく、また、表示パネルではなく、電気光学パネルを光シャッタとして用いる投射型表示装置であっても構わない。さらに、液晶装置に限らず、電気泳動表示装置などの他の電気光学装置であっても構わない。
【図面の簡単な説明】
【００５５】
【図１】第１実施形態の光学シートの構成を示す縦断面図（ａ）及び平面透視図（ｂ）。
【図２】第１実施形態の電気光学装置の全体構成を模式的に示す概略構成図。
【図３】第２実施形態の光学シートの構成を示す縦断面図（ａ）及び平面透視図（ｂ）。
【図４】第３実施形態の光学シートの構成を示す縦断面図（ａ）及び平面透視図（ｂ）。
【図５】第４実施形態の光学シートの構成を示す縦断面図（ａ）及び平面透視図（ｂ）。
【図６】第５実施形態の光学シートの構成を示す縦断面図（ａ）及び平面透視図（ｂ）。
【図７】電子機器の概略斜視図。
【図８】異なる電子機器の概略斜視図。
【符号の説明】
【００５６】
１００…電気光学装置、１１０…照明装置、１２０…光学シート、１２１…基板、１２２…発熱層、１２３…粘着層、１２４…視野角制限層、１２５…粘着層、１２６…基板、１３０…電気光学パネル、１３７…駆動回路、１３８…温度検出器、１３０Ａ…駆動領域、１４０…制御系、１４１…中央制御部、１４２…表示制御回路、１４３…温度検出回路、１４４…メモリ、１４５…照明制御回路、１４６…発熱制御回路
【図１】
2007025188.tif 000003
【図２】
2007025188.tif 000004
【図３】
2007025188.tif 000005
【図４】
2007025188.tif 000006
【図５】
2007025188.tif 000007
【図６】
2007025188.tif 000008
【図７】
2007025188.tif 000009
【図８】
2007025188.tif 000010